(57)【特許請求の範囲】
【請求項１】
受皿部と該受皿部に連成された排水管部とを備えてなるルーフドレインが配設された露天床面上の既存防水シ−ト層上に、新規防水シ−ト層を敷設施工する場合に使用されるものであって、
既設ルーフドレインの排水管部に挿通される導水筒体と、該導水筒体の流入側端部に周設されたフランジ板とを備えた改修ドレイン本体と、
通水口を備え、該通水口の周囲に前記フランジ板に面当たり可能な押え面を有する防水層押えと、
改修ドレイン本体の導水筒体内に差し渡した連結部材に基端部が連結され、先端部が防水層押えの通水口を跨いで差し渡した支持部材に挿通される螺子杆と、前記支持部材から突出する螺子杆の、その突出端側に緊締状に螺合されるナットとによって構成され、前記防水層押えをフランジ板側に押圧して、防水層押えとフランジ板間に介装した新規防水シ−ト層の端縁を挟持させる挟圧手段とを備え、
略中央部に改修ドレイン本体の導水筒体を挿通可能な挿通孔が形成され、少なくともフランジ板からはみ出る形状とした可撓性合成樹脂シートを備え、該可撓性合成樹脂シートの挿通孔に導水筒体を挿通した状態でフランジ板に可撓性合成樹脂シートの当接面を接合し、該可撓性合成樹脂シートを既存防水シ−ト層と新規防水シ−ト層との間に介装することにより、改修ドレイン本体を固定するようにしたことを特徴とする防水層の改修用ルーフドレイン。
【請求項２】
挟圧手段を構成する螺子杆の先端部を延成し、防水層押えを覆うようにして配設されるストレーナを挿通させて、その突出端側にナットを緊締状に螺合することにより、ストレーナを固定するようにしたことを特徴とする請求項１に記載した防水層の改修用ルーフドレイン。
【発明の詳細な説明】
【０００１】
【発明の属する技術分野】
本発明は、ルーフドレインが配設された露天床面上の既存防水シ−ト層上に、新規防水シ−ト層を敷設施工する場合に用いる防水層の改修用ルーフドレインに関する。
【０００２】
【従来の技術】
一般に、建物の屋上やベランダ等の露天床面上に敷設されている防水シ−ト層が損傷したり経年劣化して改修の必要が生じた場合、該防水シ−ト層を剥がして除去することなく、この既存防水シ−ト層上に新規防水シ−ト層を敷設することによって、その改修が行われる。
【０００３】
このような防水層の改修工事に際して、露天床面に配設された既存のルーフドレインの上に重ねて取付けることにより、簡単に施工し得るようにした改修用ルーフドレインが知られている。
【０００４】
従来の改修用ルーフドレインａは、図９イに示すように、鉛等の可撓性金属からなる矩形平板状の支持板ｂと、該支持板ｂの中央に上端を開口させて連成した導水筒体ｃとによって構成されており、施工に際しては、図９ロに示すように、導水筒体ｃを既存のルーフドレインｄの排水管部ｅに挿通し、支持板ｂを既存防水シ−ト層ｆ上に接着剤で接合する。この時、支持板ｂを上方から押圧することにより、その可撓性を介して、既存のルーフドレインｄの受皿部ｇによって生じている傾斜に合せて支持板ｂを窪ませて導水斜面を形成する。然る後、既存防水シ−ト層ｆ及び支持板ｂの上面に亘って新規防水シ−ト層ｈを接着剤で接合し、導水筒体ｃの上端開口に対応する部分を切除することによって排水孔ｉを形成するようにしている。
【０００５】
【発明が解決しようとする課題】
ところで、上記のような従来構成にあっては、改修用ルーフドレインａの支持板ｂに対して、新規防水シ−ト層ｈが接着剤を介して接合されているだけであるため、排水孔ｉの孔縁となる新規防水シ−ト層ｈの端縁ｊに剥離が生じ易いという問題点があった。また、接着剤による接合では完全な水密状の接合状態が得られず、新規防水シ−ト層ｈと支持板ｂとの間に微細な連続状の隙間が生じていることが多いため、この隙間に端縁ｊから雨水が浸入して、支持板ｂの外端に達すると、劣化した既存防水シ−ト層ｆから下部のコンクリート層ｋへ水が浸透し、水漏れが生じるという問題点があった。
【０００６】
本発明は、かかる従来構成の問題点を解消し得るようにした防水層の改修用ルーフドレインを提供することを目的とするものである。
【０００７】
【課題を解決するための手段】
本発明は、受皿部と該受皿部に連成された排水管部とを備えてなるルーフドレインが配設された露天床面上の既存防水シ−ト層上に、新規防水シ−ト層を敷設施工する場合に使用されるものであって、既設ルーフドレインの排水管部に挿通される導水筒体と、該導水筒体の流入側端部に周設されたフランジ板とを備えた改修ドレイン本体と、通水口を備え、該通水口の周囲に前記フランジ板に面当たり可能な押え面を有する防水層押えと、該防水層押えをフランジ板側に押圧して、防水層押えとフランジ板間に介装した新規防水シ−ト層の端縁を挟持させる挟圧手段とを備えてなることを特徴とする防水層の改修用ルーフドレインである。
【０００８】
かかる構成にあって、新規防水シ−ト層の敷設施工に際して、改修ドレイン本体の導水筒体を、既設ルーフドレインの排水管部に挿通させ、既存防水シ−ト層及びフランジ板の上面に亘って新規防水シ−ト層を接着剤で接合して敷設し、導水筒体に対応する新規防水シ−ト層の所要部分を切除して排水孔を形成した状態で、フランジ板に対応する部分に新規防水シ−ト層の上から防水層押えを宛がって、該防水層押えを挟圧手段によってフランジ板側に押圧することにより、排水孔の孔縁となる新規防水シ−ト層の端縁をフランジ板に圧着させることができる。これにより、新規防水シ−ト層の端縁の剥離を防止することができ、また、該端縁からの雨水の浸入に起因する漏水を防止することができる。
【０００９】
前記構成にあって、挟圧手段としては、改修ドレイン本体の導水筒体内に差し渡した連結部材に基端部が連結され、先端部が防水層押えの通水口を跨いで差し渡した支持部材に挿通される螺子杆と、前記支持部材から突出する螺子杆の、その突出端側に緊締状に螺合されるナットとによって構成している。このように構成された挟圧手段にあっては、構造が簡単であり、螺子杆の先端部を防水層押えの支持部材に挿通させた状態で、その突出端側にナットを緊締状に螺合するだけの簡単な操作によって、防水層押えによる新規防水シ−ト層の端縁の挟圧作用を容易に得ることができる。
【００１０】
また、前記構成にあって、略中央部に改修ドレイン本体の導水筒体を挿通可能な挿通孔が形成され、少なくともフランジ板からはみ出る形状とした可撓性合成樹脂シートを備え、該可撓性合成樹脂シートの挿通孔に導水筒体を挿通した状態でフランジ板に可撓性合成樹脂シートの当接面を接合し、該可撓性合成樹脂シートを既存防水シ−ト層と新規防水シ−ト層との間に介装することにより、改修ドレイン本体を固定するようにした構成としている。かかる構成にあっては、フランジ板に取付けた可撓性合成樹脂シートを、既存防水シ−ト層上に予め拡開させた状態で、その上部に新規防水シ−ト層を敷設することにより、可撓性合成樹脂シートが、既存防水シ−ト層と新規防水シ−ト層との間に介装され、これによって改修ドレイン本体を容易に固定することができる。
【００１１】
さらに、前記挟圧手段を構成する螺子杆の先端部を延成し、防水層押えを覆うようにして配設されるストレーナを挿通させて、その突出端側にナットを緊締状に螺合することにより、ストレーナを固定するようにした構成が提案され得る。これにより、一本の螺子杆と該螺子杆に螺合される二つのナットとによって、防水層押えの挟圧作用とストレーナの固定作用とを同時に得ることが可能となる。
【００１２】
【発明の実施の形態】
本発明にかかる防水層の改修用ルーフドレイン１は、図１又は図５に示すように、受皿部３と該受皿部３に連成された排水管部４とを備えてなるルーフドレイン２が配設された露天床面５上の既存防水シ−ト層６上に、新規防水シ−ト層７を敷設施工する場合に使用されるものであって、既設ルーフドレイン２の排水管部４に挿通される導水筒体９と、該導水筒体９の流入側端部１０に周設されたフランジ板１１とを備えた改修ドレイン本体８と、通水口１３を備え、該通水口１３の周囲に前記フランジ板１１に面当たり可能な押え面１４を有する防水層押え１２と、該防水層押え１２をフランジ板１１側に押圧して、防水層押え１２とフランジ板１１間に介装した新規防水シ−ト層７の端縁１７を挟持させる挟圧手段１５とを備えてなることを特徴としている。
【００１３】
以下に、かかる改修用ルーフドレイン１の第一実施例を、図１〜図４について説明する。この実施例における改修用ルーフドレイン１は、縦引き排水用の既設ルーフドレイン２に適用し得るように構成されている。ここで、既設ルーフドレイン２は、図２に示すように、円形の受皿部３と該受皿部３から下方に連成された排水管部４とを備えており、建物の屋上やベランダ等を構成する平面状の床部ｘに埋設施工されている。また、該床部ｘの露天床面５上には既存防水シ−ト層６が敷設されており、該既存防水シ−ト層６に形成された排水孔の開口縁１８が受皿部３に被着されている。
【００１４】
一方、改修用ルーフドレイン１を構成する改修ドレイン本体８は、ステンレス等の耐腐食性金属からなり、図２，図３ロに示すように、前記既設ルーフドレイン２の排水管部４に挿通可能な外径の導水筒体９と、該導水筒体９の流入側端部１０に周設された円形状のフランジ板１１とを備えている。フランジ板１１には、塩化ビニール等の適宜の強度を有する可撓性合成樹脂シート１９が取付けられている。該可撓性合成樹脂シート１９は、図４に示すように、所要の広さで矩形状に形成され、かつ、その略中央部に導水筒体９を挿通可能な挿通孔２０が形成されており、該挿通孔２０に導水筒体９を挿通した状態でフランジ板１１に可撓性合成樹脂シート１９の当接面を接着剤で接合することにより、周縁がフランジ板１１から外方にはみ出る状態で取付けられている。
【００１５】
改修ドレイン本体８の導水筒体９内には、両端部を導水筒体９の内周面に固着したクランク形の杆材からなる連結部材２１が差し渡されており、該連結部材２１には、導水筒体９の中心線に一致する位置に螺子杆２２の挿通孔２３が穿設されている。そして、該挿通孔２３に螺子杆２２の基端部を挿通した状態で、その上下両側に螺合されるナット２４ａ，２４ｂの緊締作用を介して螺子杆２２の基端部を連結部材２１に連結することにより、該螺子杆２２を導水筒体９の中心線に沿って立設させるようにしている。
【００１６】
また、改修ドレイン本体８と一対で改修用ルーフドレイン１を構成する防水層押え１２は、改修ドレイン本体８と同様にステンレス等の耐腐食性金属からなる。該防水層押え１２は、図２，図３イに示すように、中央に通水口１３が形成された円形の押え板２５を備え、該押え板２５の下面を前記フランジ板１１に面当たり可能な押え面１４としている。また、押え板２５には、縦引き排水用の構成として、通水口１３の口縁から下方に向けて保持筒部２６が連成されている。該保持筒部２６の外径は、前記導水筒体９の内径に略等しくなっており、該保持筒部２６を施工時に導水筒体９に内嵌させることにより、防水層押え１２の位置ずれを防止し得るようになっている。
【００１７】
前記防水層押え１２には、図３イに示すように、両端部を押え板２５の上面に固着した略クランク形の帯板からなる支持部材２７が通水口１３を跨いで差し渡されており、該支持部材２７には、押え板２５の中心に一致する位置に前記螺子杆２２の挿通孔２８が穿設されている。該支持部材２７の挿通孔２８には、施工時に螺子杆２２が挿通され、その突出端側にナット２９が緊締状に螺合されることとなる。
【００１８】
そして、このように、改修ドレイン本体８の導水筒体９内に差し渡した連結部材２１に基端部が連結され、先端部が防水層押え１２の通水口１３を跨いで差し渡した支持部材２７に挿通される螺子杆２２と、前記支持部材２７から突出する螺子杆２２の、その突出端側に緊締状に螺合されるナット２９とによって挟圧手段１５が構成されている。
【００１９】
また、前記螺子杆２２は、施工時に防水層押え１２を覆うようにして配設されるストレーナ３０から上方に突出し得る所要の長さに形成されており、該螺子杆２２の先端部をストレーナ３０の中央部に穿設された透孔３１に挿通させて、その突出端側にナット３２を緊締状に螺合することにより、ストレーナ３０を固定し得るようになっている。尚、ナット３２は工具を用いることなく螺回操作し得るように蝶ナットが用いられている。
【００２０】
次に、かかる構成からなる改修用ルーフドレイン１の使用方法及び作用について説明する。
新規防水シ−ト層７の敷設施工に際しては、まず、改修ドレイン本体８の導水筒体９を、既設ルーフドレイン２の排水管部４に上方から挿通させるとともに、フランジ板１１を、既設ルーフドレイン２の受皿部３上に直接、又は既存防水シ−ト層６を介して当接させることにより、改修ドレイン本体８を係止させる。次に、フランジ板１１に取付けられている可撓性合成樹脂シート１９を、既存防水シ−ト層６上に拡開させた後、該可撓性合成樹脂シート１９及び周囲の既存防水シ−ト層６の上面に亘って新規防水シ−ト層７を接着剤で接合して敷設する。これにより、可撓性合成樹脂シート１９が、既存防水シ−ト層６と新規防水シ−ト層７との間に介装され、改修ドレイン本体８が固定されることとなる。次に、導水筒体９に対応する新規防水シ−ト層７の所要部分を切除して排水孔３３を形成する。ここで、該排水孔３３は、図２に示すように、新規防水シ−ト層７を既存防水シ−ト層６に接合する前に予め形成しておいてもよい。
【００２１】
然る後、フランジ板１１に対応する部分に新規防水シ−ト層７の上から防水層押え１２を宛がい、導水筒体９の連結部材２１に基端部を連結した螺子杆２２を、防水層押え１２の支持部材２７の挿通孔２８に挿通させて、その突出端側にナット２９を緊締状に螺合することにより、防水層押え１２がフランジ板１１側に押圧されることとなり、排水孔３３の孔縁となる新規防水シ−ト層７の端縁１７が防水層押え１２の押え板２５とフランジ板１１間に挟持されるとともに、該端縁１７が押え板２５によってフランジ板１１に圧着される。これにより、新規防水シ−ト層７の端縁１７の剥離を防止することができ、また、該端縁１７からの雨水の浸入に起因する漏水を防止することができる。
【００２２】
上記のように、螺子杆２２とナット２９とを備えた挟圧手段１５によって固定された防水層押え１２には、通水口１３が落葉やゴミなどで詰まらないように防水層押え１２を覆うストレーナ３０が配設されるが、この時、螺子杆２２の先端部をストレーナ３０の透孔３１に挿通させて、その突出端側にナット３２を緊締状に螺合することにより、ストレーナ３０を固定することができる。
【００２３】
これにより施工が完了し、改修用ルーフドレイン１の周囲の新規防水シ−ト層７は、図１に示すように、既存防水シ−ト層６と略同一勾配で傾斜する状態となる。そして新規防水シ−ト層７上の雨水は、防水層押え１２の通水口１３から改修ドレイン本体８の導水筒体９に流れ込み、該導水筒体９を経て既存の排水管３４で排水される。
【００２４】
図５〜図７は、改修用ルーフドレイン１の第二実施例を示し、この実施例における改修用ルーフドレイン１は、横引き排水用の既設ルーフドレイン２に適用し得るように構成されている。ここで、横引き排水用の既設ルーフドレイン２は、断面略Ｌ形の受皿部３と該受皿部３から後方に連成された排水管部４とを備えており、床部ｘと壁部ｙとが直交する屋上やベランダ等のコーナー部分に埋設施工されている。床部ｘの露天床面５に敷設された既存防水シ−ト層６は、壁部ｙに沿って立ち上げられて、壁部ｙ及び床部ｘを一体に被覆しており、該既存防水シ−ト層６に形成された排水孔の開口縁１８が、受皿部３の水平縁３ａと垂直縁３ｂに亘って被着されている。
【００２５】
一方、改修ドレイン本体８の導水筒体９は、既設ルーフドレイン２の排水管部４に挿通し得るように横向きに配設されている。該導水筒体９の流入側端部１０に周設されているフランジ板１１は、図７イに示すように、水平縁部１１ａと垂直縁部１１ｂとによって断面略Ｌ形に形成されており、このフランジ板１１の垂直縁部１１ｂの下縁に横向きの導水筒体９の下部が一致している。
【００２６】
また、改修ドレイン本体８の導水筒体９内には、両端部を導水筒体９の内周面に固着した一本の杆材からなる連結部材２１が略水平状に差し渡されており、該連結部材２１には、螺子杆２２の基端部に形成された環状部２２ａが係合されている。これにより、該螺子杆２２の基端部が連結部材２１に対して回動可能に連結されており、螺子杆２２を斜め上方に向く所望の角度となるようにしている。
【００２７】
防水層押え１２は、図７ロに示すように、水平縁部２５ａと垂直縁部２５ｂを備えた断面略Ｌ形の押え板２５からなり、該押え板２５の中央に通水口１３が形成されている。そして、該押え板２５の水平縁部２５ａと垂直縁部２５ｂの裏面を前記フランジ板１１の水平縁部１１ａと垂直縁部１１ｂに夫々面当たり可能な押え面１４としている。また、防水層押え１２には、両端部を押え板２５の水平縁部２５ａと垂直縁部２５ｂの表面に夫々固着した帯板からなる支持部材２７が通水口１３を跨いで上下方向に差し渡されており、該支持部材２７には、上下方向の長孔からなる挿通孔２８が穿設されている。該挿通孔２８には、施工時に螺子杆２２が挿通され、その突出端側にナット２９が緊締状に螺合されることとなる。
【００２８】
その他の構成は、第一実施例と同じであり、同一部分に同一符号を付して重複する説明を省略する。
【００２９】
かかる構成からなる横引き排水用の改修用ルーフドレイン１にあって、新規防水シ−ト層７の敷設施工に際しては、まず、改修ドレイン本体８の導水筒体９を、既設ルーフドレイン２の排水管部４に前方から挿通させる。これにより、フランジ板１１の水平縁部１１ａと垂直縁部１１ｂが、既設ルーフドレイン２の受皿部３の水平縁３ａと垂直縁３ｂに沿って配設されることとなる。次に、フランジ板１１に取付けられている可撓性合成樹脂シート１９を拡開させた状態で、該可撓性合成樹脂シート１９及び周囲の既存防水シ−ト層６の上面に新規防水シ−ト層７を接着剤で接合し、該新規防水シ−ト層７を床部ｘ及び壁部ｙに亘って一体に敷設する。次に、導水筒体９に対応する新規防水シ−ト層７の所要部分を切除して排水孔３３を形成する。ここで、該排水孔３３は、図６に示すように、新規防水シ−ト層７を既存防水シ−ト層６に接合する前に予め形成しておいてもよい。
【００３０】
然る後、フランジ板１１の水平縁部１１ａと垂直縁部１１ｂに対応する部分に、新規防水シ−ト層７の上から防水層押え１２の水平縁部２５ａと垂直縁部２５ｂを宛がい、導水筒体９の連結部材２１に基端部を連結した螺子杆２２を、防水層押え１２の支持部材２７の挿通孔２８に挿通させて、その突出端側にナット２９を緊締状に螺合する。この時、先端部側が斜め上方に向くように螺子杆２２を傾斜させた状態でナット２９を螺合することにより、防水層押え１２が斜め下方に押圧されることとなり、排水孔３３の孔縁となる新規防水シ−ト層７の端縁１７が、防水層押え１２の水平縁部２５ａ及び垂直縁部２５ｂと、フランジ板１１の水平縁部１１ａ及び垂直縁部１１ｂ間に挟持されるとともに、該端縁１７が防水層押え１２の水平縁部２５ａ及び垂直縁部２５ｂによってフランジ板１１の水平縁部１１ａ及び垂直縁部１１ｂに圧着される。これにより、新規防水シ−ト層７の端縁１７の剥離を防止することができ、また、該端縁１７からの雨水の浸入に起因する漏水を防止することができる。
【００３１】
また、螺子杆２２の先端部を、防水層押え１２を覆うようにして配設されるストレーナ３０に挿通させて、その突出端側にナット３２を緊締状に螺合することにより、ストレーナ３０を固定することができる。
【００３２】
尚、新規防水シ−ト層７の敷設施工に際して、壁部ｙに埋設されている横引き排水管３５が劣化していても、これを取り替えることは難しい。そこで、この横引き排水用の改修用ルーフドレイン１にあっては、図８に示すように、改修ドレイン本体８の導水筒体９に、ソケット３７を介して排水ホース３８を予め接続しておき、施工時に該排水ホース３８の先端を雨樋３９内に挿入するようにしてもよい。これにより、横引き排水管３５を取り替えることなく、導水筒体９から雨水を雨樋３９に流入させることが可能となる。
【００３３】
また、第一実施例及び第二実施例では、フランジ板１１に取付けた可撓性合成樹脂シート１９を、既存防水シ−ト層６と新規防水シ−ト層７との間に介装することにより、改修ドレイン本体８の固定作用を得るようにしているが、この構成に代えて、可撓性合成樹脂シート１９を除去し、フランジ板１１を既存防水シ−ト層６若しくは既設ルーフドレイン２の受皿部３に接着剤で直接固着するようにしてもよい。而して、実施例のようにフランジ板１１に可撓性合成樹脂シート１９を取付ければ、該可撓性合成樹脂シート１９を、既存防水シ−ト層６と新規防水シ−ト層７との間に介装することにより、改修ドレイン本体８が簡単に固定できるため、特に、第一実施例にかかる縦引き排水用の改修用ルーフドレイン１において好適な構成となる。
【００３４】
【発明の効果】
以上詳述したように、本発明にかかる防水層の改修用ルーフドレイン１によれば、新規防水シ−ト層７の敷設施工に際して、改修ドレイン本体８の導水筒体９を、既設ルーフドレイン２の排水管部４に挿通させ、既存防水シ−ト層６及びフランジ板１１の上面に亘って新規防水シ−ト層７を接着剤で接合して敷設し、導水筒体９に対応する新規防水シ−ト層７の所要部分を切除して排水孔３３を形成した状態で、フランジ板１１に対応する部分に新規防水シ−ト層７の上から防水層押え１２を宛がって、該防水層押え１２を挟圧手段１５によってフランジ板１１側に押圧することにより、排水孔３３の孔縁となる新規防水シ−ト層７の端縁１７をフランジ板１１に圧着させることができる。これにより、新規防水シ−ト層７の端縁１７の剥離を確実に防止することができ、また、該端縁１７からの雨水の浸入に起因する漏水を防止することができる。
【００３５】
また、前記挟圧手段１５を、改修ドレイン本体８の導水筒体９内に差し渡した連結部材２１に基端部が連結され、先端部が防水層押え１２の通水口１３を跨いで差し渡した支持部材２７に挿通される螺子杆２２と、前記支持部材２７から突出する螺子杆２２の、その突出端側に緊締状に螺合されるナット２９とによって構成しているから、構造が簡単であり、螺子杆２２の先端部を防水層押え１２の支持部材２７に挿通させた状態で、その突出端側にナット２９を緊締状に螺合するだけの簡単な操作によって、防水層押え１２による新規防水シ−ト層７の端縁１７の挟圧作用を容易に得ることができる。
【００３６】
また、略中央部に改修ドレイン本体８の導水筒体９を挿通可能な挿通孔２０が形成され、少なくともフランジ板１１からはみ出る形状とした可撓性合成樹脂シート１９の、その挿通孔２０に導水筒体９を挿通した状態でフランジ板１１に可撓性合成樹脂シート１９の当接面を接合し、該可撓性合成樹脂シート１９を既存防水シ−ト層６と新規防水シ−ト層７との間に介装することにより、改修ドレイン本体８を固定するように構成しているから、フランジ板１１に取付けた可撓性合成樹脂シート１９を、既存防水シ−ト層６上に予め拡開させた状態で、その上部に新規防水シ−ト層７を敷設することにより、可撓性合成樹脂シート１９が、既存防水シ−ト層６と新規防水シ−ト層７との間に介装され、これによって改修ドレイン本体８を容易に固定することが可能となる。
【００３７】
さらに、前記挟圧手段１５を構成する螺子杆２２の先端部を延成し、防水層押え１２を覆うようにして配設されるストレーナ３０を挿通させて、その突出端側にナット３２を緊締状に螺合することによって、ストレーナ３０を固定するよう構成すれば、一本の螺子杆２２と該螺子杆２２に螺合される二つのナット２９，３２とによって、防水層押え１２の挟圧作用とストレーナ３０の固定作用とを同時に得ることができる等の優れた効果がある。
【図面の簡単な説明】
【図１】第一実施例にかかる改修用ルーフドレインの施工状態を示す縦断面図である。
【図２】同上の改修用ルーフドレインの分解断面図である。
【図３】イは防水層押えの斜視図、ロは改修ドレイン本体の斜視図である。
【図４】可撓性合成樹脂シートの平面図である。
【図５】第二実施例にかかる改修用ルーフドレインの施工状態を示す縦断面図である。
【図６】同上の改修用ルーフドレインの分解断面図である。
【図７】イは改修ドレイン本体の斜視図、ロは防水層押えの斜視図である。
【図８】導水筒体に排水ホースを接続した第二実施例にかかる改修用ルーフドレインの施工状態を示す縦断面図である。
【図９】従来構成を示す縦断面図である。
【符号の説明】
１  改修用ルーフドレイン
２  既設ルーフドレイン
３  受皿部
４  排水管部
５  露天床面
６  既存防水シ−ト層
７  新規防水シ−ト層
８  改修ドレイン本体
９  導水筒体
１０  流入側端部
１１  フランジ板
１２  防水層押え
１３  通水口
１４  押え面
１５  挟圧手段
１７  端縁
１９  可撓性合成樹脂シート
２０  挿通孔
２１  連結部材
２２  螺子杆
２７  支持部材
２９  ナット
３０  ストレーナ
３２  ナット
【図１】
0004317315.tif 000002
【図２】
0004317315.tif 000003
【図３】
0004317315.tif 000004
【図４】
0004317315.tif 000005
【図５】
0004317315.tif 000006
【図６】
0004317315.tif 000007
【図７】
0004317315.tif 000008
【図８】
0004317315.tif 000009
【図９】
0004317315.tif 000010